(57)【要約】【課題】中間電線の影響を排除すること。【解決手段】接地対象物と電線ＷＥとの間のフィルタ回路１０と、フィルタ回路と電線及び接地対象物との間の電気接続状態を保持する保持構造３０と、を備え、フィルタ回路は、ノイズ低減素子１１の第１素子接続体１１ａに電線の軸線方向で接触させる電線側接点１２ｂを有し、電線と第１素子接続体を繋ぐ第１回路接続部材１２と、ノイズ低減素子１１の第２素子接続体１１ｂに軸線方向で接触させるアース側接点１３ｂを有し、接地対象物と第２素子接続体を繋ぐ第２回路接続部材１３と、を備え、保持構造は、軸線方向に沿う押圧力で電線側接点とアース側接点の内の少なくとも一方をノイズ低減素子に押し付けて、軸線方向での電線側接点とアース側接点とによるノイズ低減素子の挟持状態を保持して、電線側接点と第１素子接続体との間及びアース側接点と第２素子接続体との間のそれぞれの電気接続状態を保持すること。【選択図】図２
2020048077.tif 000002
【特許請求の範囲】
【請求項１】
接地させる際の接続相手となる接地対象物と電線の芯線の中間接続部との間に介装させるフィルタ回路と、
前記フィルタ回路及び前記中間接続部を収容する筐体と、
前記フィルタ回路と前記電線との間の電気接続状態及び前記フィルタ回路と前記接地対象物との間の電気接続状態を保持する保持構造と、
を備え、
前記フィルタ回路は、前記電線の軸線方向にて一端に第１素子接続体が位置し且つ他端に第２素子接続体が位置するよう配置したノイズ低減素子と、前記中間接続部及び前記第１素子接続体に対して電気的に接続させる導電性の第１回路接続部材と、前記接地対象物及び前記第２素子接続体に対して電気的に接続させる導電性の第２回路接続部材と、を備え、
前記第１回路接続部材は、前記中間接続部に対して物理的且つ電気的に接続させた電線接続部と、前記第１素子接続体に対して前記軸線方向で接触させて電気接続させる電線側接点と、を有し、
前記第２回路接続部材は、前記接地対象物に対して物理的且つ電気的に接続させるアース接続部と、前記第２素子接続体に対して前記軸線方向で接触させて電気接続させるアース側接点と、を有し、
前記保持構造は、前記軸線方向に沿う押圧力で前記電線側接点と前記アース側接点の内の少なくとも一方を前記ノイズ低減素子に押し付けて、前記軸線方向での前記電線側接点と前記アース側接点とによる前記ノイズ低減素子の挟持状態を保持して、前記電線側接点と前記第１素子接続体との間及び前記アース側接点と前記第２素子接続体との間のそれぞれの電気接続状態を保持する押圧構造であることを特徴としたノイズフィルタ。
【請求項２】
前記保持構造を前記筐体に設け、
前記保持構造は、前記電線側接点と前記アース側接点の内の一方に作用させた前記軸線方向の押圧力で前記電線側接点と前記アース側接点の内の前記一方を前記ノイズ低減素子に押し付ける押圧体と、前記ノイズ低減素子を介して前記押圧体の前記押圧力が作用している前記電線側接点と前記アース側接点の内の他方を前記軸線方向で係止して前記押圧力を受ける係止体と、を備えることを特徴とした請求項１に記載のノイズフィルタ。
【請求項３】
前記保持構造を前記筐体に設け、
前記保持構造は、前記電線側接点と前記アース側接点の内の一方に作用させた前記軸線方向の押圧力で前記電線側接点と前記アース側接点の内の前記一方を前記ノイズ低減素子に押し付ける第１押圧体と、前記電線側接点と前記アース側接点の内の他方に作用させた前記軸線方向の押圧力で前記電線側接点と前記アース側接点の内の前記他方を前記ノイズ低減素子に押し付ける第２押圧体と、を備えることを特徴とした請求項１に記載のノイズフィルタ。
【請求項４】
前記フィルタ回路は、前記第２素子接続体同士を前記軸線方向で間隔を空けて対向配置させた２つの前記ノイズ低減素子を備え、
前記第１回路接続部材は、前記電線側接点として、一方の前記ノイズ低減素子の前記第１素子接続体に前記軸線方向で対向配置させる第１電線側接点と、他方の前記ノイズ低減素子の前記第１素子接続体に前記軸線方向で対向配置させる第２電線側接点と、を有し、
前記アース側接点は、２つの前記ノイズ低減素子のそれぞれの前記第２素子接続体の間に配置し、それぞれの前記第２素子接続体に対して前記軸線方向で接触させて電気接続させ、
前記保持構造は、互いに逆向きの前記軸線方向に弾性変形し得るものとして各々形成した前記第１電線側接点と前記第２電線側接点とで構成し、
第１電線側接点と前記第２電線側接点と前記アース側接点は、前記第１電線側接点と前記第２電線側接点とが弾性変形に伴う前記軸線方向の挟持力を２つの前記ノイズ低減素子のそれぞれの前記第１素子接続体に作用させているときに、一方の前記ノイズ低減素子の前記第２素子接続体を前記アース側接点に押し付けると共に、他方の前記ノイズ低減素子の前記第２素子接続体を前記アース側接点に押し付けるものとして形成することを特徴とした請求項１に記載のノイズフィルタ。
【請求項５】
前記フィルタ回路は、前記第１素子接続体同士を前記軸線方向で間隔を空けて対向配置させた２つの前記ノイズ低減素子を備え、
前記電線側接点は、２つの前記ノイズ低減素子のそれぞれの前記第１素子接続体の間に配置し、それぞれの前記第１素子接続体に対して前記軸線方向で接触させて電気接続させ、
前記第２回路接続部材は、前記アース側接点として、一方の前記ノイズ低減素子の前記第２素子接続体に前記軸線方向で対向配置させる第１アース側接点と、他方の前記ノイズ低減素子の前記第２素子接続体に前記軸線方向で対向配置させる第２アース側接点と、を有し、
前記保持構造は、互いに逆向きの前記軸線方向に弾性変形し得るものとして各々形成した前記第１アース側接点と前記第２アース側接点とで構成し、
前記電線側接点と前記第１アース側接点と前記第２アース側接点は、前記第１アース側接点と前記第２アース側接点とが弾性変形に伴う前記軸線方向の挟持力を２つの前記ノイズ低減素子のそれぞれの前記第２素子接続体に作用させているときに、一方の前記ノイズ低減素子の前記第１素子接続体を前記電線側接点に押し付けると共に、他方の前記ノイズ低減素子の前記第１素子接続体を前記電線側接点に押し付けるものとして形成することを特徴とした請求項１に記載のノイズフィルタ。
【請求項６】
電線と、
ノイズ成分を低減させるノイズフィルタと、
を備え、
前記ノイズフィルタは、接地させる際の接続相手となる接地対象物と前記電線の芯線の中間接続部との間に介装させるフィルタ回路と、前記フィルタ回路及び前記中間接続部を収容する筐体と、前記フィルタ回路と前記電線との間の電気接続状態及び前記フィルタ回路と前記接地対象物との間の電気接続状態を保持する保持構造と、を備え、
前記フィルタ回路は、前記電線の軸線方向にて一端に第１素子接続体を有し且つ他端に第２素子接続体を有するノイズ低減素子と、前記中間接続部及び前記第１素子接続体に対して電気的に接続させる導電性の第１回路接続部材と、前記接地対象物及び前記第２素子接続体に対して電気的に接続させる導電性の第２回路接続部材と、を備え、
前記第１回路接続部材は、前記中間接続部に対して物理的且つ電気的に接続させた電線接続部と、前記第１素子接続体に対して前記軸線方向で接触させて電気接続させる電線側接点と、を有し、
前記第２回路接続部材は、前記接地対象物に対して物理的且つ電気的に接続させるアース接続部と、前記第２素子接続体に対して前記軸線方向で接触させて電気接続させるアース側接点と、を有し、
前記保持構造は、前記軸線方向に沿う押圧力で前記電線側接点と前記アース側接点の内の少なくとも一方を前記ノイズ低減素子に押し付けて、前記軸線方向での前記電線側接点と前記アース側接点とによる前記ノイズ低減素子の挟持状態を保持して、前記電線側接点と前記第１素子接続体との間及び前記アース側接点と前記第２素子接続体との間のそれぞれの電気接続状態を保持する押圧構造であることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、接地させる際の接続相手となる接地対象物と電線の芯線の中間接続部との間に介装させるフィルタ回路と、前記フィルタ回路及び前記中間接続部を収容する筐体と、前記フィルタ回路と前記電線との間の電気接続状態及び前記フィルタ回路と前記接地対象物との間の電気接続状態を保持する保持構造と、を備え、前記フィルタ回路は、前記電線の軸線方向にて一端に第１素子接続体が位置し且つ他端に第２素子接続体が位置するよう配置したノイズ低減素子と、前記中間接続部及び前記第１素子接続体に対して電気的に接続させる導電性の第１回路接続部材と、前記接地対象物及び前記第２素子接続体に対して電気的に接続させる導電性の第２回路接続部材と、を備え、前記第１回路接続部材は、前記中間接続部に対して物理的且つ電気的に接続させた電線接続部と、前記第１素子接続体に対して前記軸線方向で接触させて電気接続させる電線側接点と、を有し、前記第２回路接続部材は、前記接地対象物に対して物理的且つ電気的に接続させるアース接続部と、前記第２素子接続体に対して前記軸線方向で接触させて電気接続させるアース側接点と、を有し、前記保持構造は、前記軸線方向に沿う押圧力で前記電線側接点と前記アース側接点の内の少なくとも一方を前記ノイズ低減素子に押し付けて、前記軸線方向での前記電線側接点と前記アース側接点とによる前記ノイズ低減素子の挟持状態を保持して、前記電線側接点と前記第１素子接続体との間及び前記アース側接点と前記第２素子接続体との間のそれぞれの電気接続状態を保持する押圧構造であることを特徴としている。
【０００７】
ここで、前記保持構造を前記筐体に設け、前記保持構造は、前記電線側接点と前記アース側接点の内の一方に作用させた前記軸線方向の押圧力で前記電線側接点と前記アース側接点の内の前記一方を前記ノイズ低減素子に押し付ける押圧体と、前記ノイズ低減素子を介して前記押圧体の前記押圧力が作用している前記電線側接点と前記アース側接点の内の他方を前記軸線方向で係止して前記押圧力を受ける係止体と、を備えることが望ましい。
【０００８】
また、前記保持構造を前記筐体に設け、前記保持構造は、前記電線側接点と前記アース側接点の内の一方に作用させた前記軸線方向の押圧力で前記電線側接点と前記アース側接点の内の前記一方を前記ノイズ低減素子に押し付ける第１押圧体と、前記電線側接点と前記アース側接点の内の他方に作用させた前記軸線方向の押圧力で前記電線側接点と前記アース側接点の内の前記他方を前記ノイズ低減素子に押し付ける第２押圧体と、を備えることが望ましい。
【０００９】
また、前記フィルタ回路は、前記第２素子接続体同士を前記軸線方向で間隔を空けて対向配置させた２つの前記ノイズ低減素子を備え、前記第１回路接続部材は、前記電線側接点として、一方の前記ノイズ低減素子の前記第１素子接続体に前記軸線方向で対向配置させる第１電線側接点と、他方の前記ノイズ低減素子の前記第１素子接続体に前記軸線方向で対向配置させる第２電線側接点と、を有し、前記アース側接点は、２つの前記ノイズ低減素子のそれぞれの前記第２素子接続体の間に配置し、それぞれの前記第２素子接続体に対して前記軸線方向で接触させて電気接続させ、前記保持構造は、互いに逆向きの前記軸線方向に弾性変形し得るものとして各々形成した前記第１電線側接点と前記第２電線側接点とで構成し、第１電線側接点と前記第２電線側接点と前記アース側接点は、前記第１電線側接点と前記第２電線側接点とが弾性変形に伴う前記軸線方向の挟持力を２つの前記ノイズ低減素子のそれぞれの前記第１素子接続体に作用させているときに、一方の前記ノイズ低減素子の前記第２素子接続体を前記アース側接点に押し付けると共に、他方の前記ノイズ低減素子の前記第２素子接続体を前記アース側接点に押し付けるものとして形成することが望ましい。
【００１０】
また、前記フィルタ回路は、前記第１素子接続体同士を前記軸線方向で間隔を空けて対向配置させた２つの前記ノイズ低減素子を備え、前記電線側接点は、２つの前記ノイズ低減素子のそれぞれの前記第１素子接続体の間に配置し、それぞれの前記第１素子接続体に対して前記軸線方向で接触させて電気接続させ、前記第２回路接続部材は、前記アース側接点として、一方の前記ノイズ低減素子の前記第２素子接続体に前記軸線方向で対向配置させる第１アース側接点と、他方の前記ノイズ低減素子の前記第２素子接続体に前記軸線方向で対向配置させる第２アース側接点と、を有し、前記保持構造は、互いに逆向きの前記軸線方向に弾性変形し得るものとして各々形成した前記第１アース側接点と前記第２アース側接点とで構成し、前記電線側接点と前記第１アース側接点と前記第２アース側接点は、前記第１アース側接点と前記第２アース側接点とが弾性変形に伴う前記軸線方向の挟持力を２つの前記ノイズ低減素子のそれぞれの前記第２素子接続体に作用させているときに、一方の前記ノイズ低減素子の前記第１素子接続体を前記電線側接点に押し付けると共に、他方の前記ノイズ低減素子の前記第１素子接続体を前記電線側接点に押し付けるものとして形成することが望ましい。
【００１１】
また、上記目的を達成する為、本発明に係るワイヤハーネスは、電線と、ノイズ成分を低減させるノイズフィルタと、を備え、前記ノイズフィルタは、接地させる際の接続相手となる接地対象物と前記電線の芯線の中間接続部との間に介装させるフィルタ回路と、前記フィルタ回路及び前記中間接続部を収容する筐体と、前記フィルタ回路と前記電線との間の電気接続状態及び前記フィルタ回路と前記接地対象物との間の電気接続状態を保持する保持構造と、を備え、前記フィルタ回路は、前記電線の軸線方向にて一端に第１素子接続体を有し且つ他端に第２素子接続体を有するノイズ低減素子と、前記中間接続部及び前記第１素子接続体に対して電気的に接続させる導電性の第１回路接続部材と、前記接地対象物及び前記第２素子接続体に対して電気的に接続させる導電性の第２回路接続部材と、を備え、前記第１回路接続部材は、前記中間接続部に対して物理的且つ電気的に接続させた電線接続部と、前記第１素子接続体に対して前記軸線方向で接触させて電気接続させる電線側接点と、を有し、前記第２回路接続部材は、前記接地対象物に対して物理的且つ電気的に接続させるアース接続部と、前記第２素子接続体に対して前記軸線方向で接触させて電気接続させるアース側接点と、を有し、前記保持構造は、前記軸線方向に沿う押圧力で前記電線側接点と前記アース側接点の内の少なくとも一方を前記ノイズ低減素子に押し付けて、前記軸線方向での前記電線側接点と前記アース側接点とによる前記ノイズ低減素子の挟持状態を保持して、前記電線側接点と前記第１素子接続体との間及び前記アース側接点と前記第２素子接続体との間のそれぞれの電気接続状態を保持する押圧構造であることを特徴としている。
【発明の効果】
【００１２】
本発明に係るノイズフィルタにおいては、電線の中間接続部と接地対象物との間にフィルタ回路を電気的に介在させることで、そのフィルタ回路を電線の中間接続部と接地対象物とに対して電気的に接続している。例えば、その電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。更に、本発明に係るノイズフィルタにおいては、電線の軸線方向にてノイズ低減素子を第１回路接続部材の電線側接点と第２回路接続部材のアース側接点とで挟み込むことによって、その軸線方向で電線側接点とノイズ低減素子の第１素子接続体との間を電気接続させ且つアース側接点とノイズ低減素子の第２素子接続体との間を電気接続させる。従って、このノイズフィルタは、そのノイズ低減素子と電線側接点とアース側接点とを電線の中間接続部に対して軸線方向に対する直交方向に配列することによって、その配列方向と軸線方向とに対する直交方向の体格の小型化を図ることができる。また、本発明に係るワイヤハーネスは、そのようなノイズフィルタを具備するものであり、このノイズフィルタが得られる効果を奏することができる。
【図面の簡単な説明】
【００１３】
【図１】図１は、実施形態のノイズフィルタ及びワイヤハーネスを示す斜視図である。
【図２】図２は、実施形態のノイズフィルタ及びワイヤハーネスを示す平面図である。
【図３】図３は、実施形態のノイズフィルタ及びワイヤハーネスを示す分解斜視図である。
【図４】図４は、実施形態のノイズフィルタ及びワイヤハーネスを別角度から見た分解斜視図である。
【図５】図５は、実施形態の第１回路接続部材について説明する斜視図である。
【図６】図６は、実施形態の第２回路接続部材について説明する斜視図である。
【図７】図７は、図２のＸ−Ｘ線断面図である。
【図８】図８は、実施形態のノイズフィルタ及びワイヤハーネスを示す分解斜視図である。
【図９】図９は、実施形態の第２筐体部材を示す斜視図である。
【図１０】図１０は、変形例のノイズフィルタ及びワイヤハーネスを示す斜視図である。
【図１１】図１１は、変形例のノイズフィルタ及びワイヤハーネスを示す平面図である。
【図１２】図１２は、変形例のノイズフィルタ及びワイヤハーネスを示す分解斜視図である。
【図１３】図１３は、変形例のノイズフィルタ及びワイヤハーネスを別角度から見た分解斜視図である。
【図１４】図１４は、図１１のＹ−Ｙ線断面図である。
【図１５】図１５は、変形例の第１回路接続部材について説明する斜視図である。
【図１６】図１６は、変形例の第２回路接続部材について説明する斜視図である。
【図１７】図１７は、変形例の第２回路接続部材を別角度から見た斜視図である。
【発明を実施するための形態】
【００１４】
以下に、本発明に係るノイズフィルタ及びワイヤハーネスの実施形態を図面に基づいて詳細に説明する。尚、この実施形態によりこの発明が限定されるものではない。
【００１５】
［実施形態］
本発明に係るノイズフィルタ及びワイヤハーネスの実施形態の１つを図１から図９に基づいて説明する。
【００１６】
図１から図４の符号１は、本実施形態のノイズフィルタを示す。このノイズフィルタ１は、接地させる際の接続相手となる接地対象物（図示略）と１本の電線ＷＥの中間部分との間に介装させるフィルタ回路１０を備えるノイズ低減装置である。
【００１７】
接地対象物とは、例えば、車両における車体の導電性の構成部材等のことを指している。一方、電線ＷＥは、例えば、車両のワイヤハーネスＷＨの幹線ＷＴが備える複数本の電線の内の１本である。よって、ノイズフィルタ１は、この電線ＷＥに接続することによって、ワイヤハーネスＷＨの構成要素の１つとなる。例えば、この電線ＷＥは、電源線として利用される場合、一方の端部が電源（例えば、車両の二次電池）に対して電気的に接続され、他方の端部が負荷（例えば、デフォッガやハイマウントストップランプ等）に対して電気的に接続されている。この電線ＷＥは、導電性の芯線ＷＥａと、この芯線ＷＥａの外周面を覆う絶縁性の被覆ＷＥｂと、を備える。
【００１８】
このノイズフィルタ１は、接地対象物と電線ＷＥの中間部分に位置している芯線ＷＥａの一部分とに電気接続させたフィルタ回路１０によって、その電線ＷＥに乗った電気的なノイズ成分を低減させる。以下においては、その電線ＷＥの中間部分に位置している芯線ＷＥａの一部分を「中間接続部ＷＥａ１」と称する。また、以下においては、その電線ＷＥの芯線ＷＥａの中間接続部ＷＥａ１のことを「電線ＷＥの中間接続部ＷＥａ１」と簡略化する。
【００１９】
更に、このノイズフィルタ１は、そのフィルタ回路１０と電線ＷＥの中間接続部ＷＥａ１とを収容する筐体２０を備えている（図１から図４）。その筐体２０においては、フィルタ回路１０と電線ＷＥの中間接続部ＷＥａ１とが内方の収容室２０ａ（図１）に収容され、その電線ＷＥの両端側が収容室２０ａの外に引き出される。ここでは、収容室２０ａの外に引き出されている電線ＷＥの一方の端部が電源に対して電気的に接続され、収容室２０ａの外に引き出されている電線ＷＥの他方の端部が負荷に対して電気的に接続されている。収容室２０ａの中では、フィルタ回路１０と電線ＷＥの中間接続部ＷＥａ１とが、電線ＷＥの軸線方向に対する直交方向に並べて配置される。
【００２０】
以下において単に「軸線方向」と記した場合、それは、電線ＷＥの軸線方向のことを示している。また、以下において単に「配列方向」と記した場合、それは、フィルタ回路１０と電線ＷＥの中間接続部ＷＥａ１の配列方向のことを示している。
【００２１】
フィルタ回路１０は、ノイズ成分を低減させる少なくとも１つのノイズ低減素子１１を備える（図１から図４）。そのノイズ低減素子１１は、導電性の第１接続部（以下、「第１素子接続体」という。）１１ａと、導電性の第２接続部（以下、「第２素子接続体」という。）１１ｂと、を外方に露出させた状態で備えている（図３及び図４）。このノイズ低減素子１１においては、或る一方向での一端と他端に第１素子接続体１１ａと第２素子接続体１１ｂとを１つずつ配置しており、その第１素子接続体１１ａと第２素子接続体１１ｂとの間に主体である素子部分を介在させている。このノイズ低減素子１１は、筐体２０に収容されているときに、収容室２０ａの中の電線ＷＥの軸線方向にて、一端に第１素子接続体１１ａが位置し且つ他端に第２素子接続体１１ｂが位置するよう配置する。
【００２２】
この例示のノイズ低減素子１１は、略方体状に形成されており、対向配置状態の２つの外壁面の内の一方が第１素子接続体１１ａの外壁面となり、その内の他方が第２素子接続体１１ｂの外壁面となる。また、この例示のフィルタ回路１０は、そのノイズ低減素子１１を２つ備えている。それぞれのノイズ低減素子１１は、筐体２０に収容されているときに、各々の第１素子接続体１１ａを配列方向に並べて配置させ、かつ、各々の第２素子接続体１１ｂを配列方向に並べて配置させるべく、互いを配列方向に並べて配置する。
【００２３】
また、この例示のノイズ低減素子１１は、例えば、第１素子接続体１１ａと第２素子接続体１１ｂの対向配置方向を幅方向とし、その対向配置方向に対する或る１つの直交方向を奥行方向とし、その幅方向と奥行方向とに対する直交方向を厚さ方向とするものであり、その３方向の内、厚さ方向が最も薄くなっている。例えば、ノイズフィルタ１は、奥行方向を配列方向に向けて収容室２０ａに２つのノイズ低減素子１１を収容することで、その配列方向と軸線方向とに対する直交方向の体格の小型化を図ることができる。また、ノイズフィルタ１は、奥行方向の長さが電線径と大差ない場合、厚さ方向を配列方向に向けて収容室２０ａに２つのノイズ低減素子１１を収容することで、配列方向の体格の小型化を図ることができ、更に、その配列方向と軸線方向とに対する直交方向の体格についても小型化を図ることができる。ここでは、この後者の如く２つのノイズ低減素子１１を収容している（図１から図４）。
【００２４】
このノイズ低減素子１１は、ノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図１から図４）。このノイズ低減素子１１としてのコンデンサは、第１素子接続体１１ａとしての第１外部電極と、第２素子接続体１１ｂとしての第２外部電極と、を備える。
【００２５】
更に、このフィルタ回路１０は、電線ＷＥの中間接続部ＷＥａ１及びノイズ低減素子１１の第１素子接続体１１ａに対して電気的に接続させる導電性の第１接続部材（以下、「第１回路接続部材」という。）１２と、接地対象物及びノイズ低減素子１１の第２素子接続体１１ｂに対して電気的に接続させる導電性の第２接続部材（以下、「第２回路接続部材」という。）１３と、を備える（図１から図４）。
【００２６】
第１回路接続部材１２と第２回路接続部材１３は、ノイズ低減素子１１を介して互いを電気的に接続させる導電部材であり、２つのノイズ低減素子１１を軸線方向で挟持するものとして金属等の導電性材料で成形されている。この例示の第１回路接続部材１２と第２回路接続部材１３は、各々、金属板を母材とするプレス成形品である。
【００２７】
第１回路接続部材１２は、電線ＷＥの中間接続部ＷＥａ１に予め組み付けられ、この電線ＷＥの中間接続部ＷＥａ１と共に筐体２０の収容室２０ａに収容される。この第１回路接続部材１２は、電線ＷＥの中間接続部ＷＥａ１に対して物理的且つ電気的に接続させた電線接続部１２ａと、ノイズ低減素子１１の第１素子接続体１１ａに対して軸線方向で接触させて電気接続させる電線側接点１２ｂと、を有する（図１から図４）。
【００２８】
この例示の電線接続部１２ａは、間隔を空けて対向配置された２つの矩形の片部を電線ＷＥの中間接続部ＷＥａ１に巻き付けて加締め圧着させたものである（図５）。この電線接続部１２ａは、このように電線ＷＥの中間接続部ＷＥａ１に組み付けることによって、その中間接続部ＷＥａ１に対して直接的に電気接続させる。
【００２９】
電線側接点１２ｂは、筐体２０に収容されているときに、軸線方向でノイズ低減素子１１の第１素子接続体１１ａに対向配置させ、かつ、その第１素子接続体１１ａに軸線方向で接触させる。そこで、この電線側接点１２ｂは、電線ＷＥの中間接続部ＷＥａ１に組み付けた電線接続部１２ａから軸線方向に対する直交方向に突出させるように形成する。
【００３０】
この電線側接点１２ｂは、矩形の平板状の基部１２ｂ１と、ノイズ低減素子１１の第１素子接続体１１ａに電気接続させる接点部１２ｂ２と、を有する（図５）。基部１２ｂ１は、軸線方向に対する直交平面を有するものであり、筐体２０に収容されているときに、一方の直交平面を軸線方向でノイズ低減素子１１の第１素子接続体１１ａに間隔を空けて対向配置させる。接点部１２ｂ２は、その第１素子接続体１１ａとの間での安定した接触荷重を得るべく、基部１２ｂ１の一方の直交平面から膨出させた膨出形状のものとして形成する。この接点部１２ｂ２は、ノイズ低減素子１１毎に設け、筐体２０に収容されているときに、軸線方向でノイズ低減素子１１の第１素子接続体１１ａに対向配置させ、かつ、その第１素子接続体１１ａに軸線方向で接触させる。
【００３１】
第２回路接続部材１３は、接地対象物に対して物理的且つ電気的に接続させるアース接続部１３ａと、ノイズ低減素子１１の第２素子接続体１１ｂに対して軸線方向で接触させて電気接続させるアース側接点１３ｂと、を有する（図１から図４）。この例示の第２回路接続部材１３においては、アース接続部１３ａを筐体２０の収容室２０ａの外に突出させ、アース側接点１３ｂを筐体２０の収容室２０ａに収容させる。
【００３２】
この例示のアース接続部１３ａは、平板状の片部として形成され、かつ、貫通孔１３ａ１が設けられている（図１から図４及び図６）。このアース接続部１３ａは、接地対象物に載せ置き、貫通孔１３ａ１に挿通させた雄螺子部（図示略）に雌螺子部（図示略）を螺合させることによって、その接地対象物に固定する。
【００３３】
アース側接点１３ｂは、筐体２０に収容されているときに、軸線方向でノイズ低減素子１１の第２素子接続体１１ｂに対向配置させ、かつ、その第２素子接続体１１ｂに軸線方向で接触させる。
【００３４】
このアース側接点１３ｂは、矩形の平板状の基部１３ｂ１と、ノイズ低減素子１１の第２素子接続体１１ｂに電気接続させる接点部１３ｂ２と、を有する（図６）。基部１３ｂ１は、軸線方向に対する直交平面を有するものであり、筐体２０に収容されているときに、一方の直交平面を軸線方向でノイズ低減素子１１の第２素子接続体１１ｂに間隔を空けて対向配置させる。接点部１３ｂ２は、その第２素子接続体１１ｂとの間での安定した接触荷重を得るべく、基部１３ｂ１の一方の直交平面から膨出させた膨出形状のものとして形成する。この接点部１３ｂ２は、ノイズ低減素子１１毎に設け、筐体２０に収容されているときに、軸線方向でノイズ低減素子１１の第２素子接続体１１ｂに対向配置させ、かつ、その第２素子接続体１１ｂに軸線方向で接触させる。
【００３５】
このフィルタ回路１０においては、軸線方向にて電線側接点１２ｂとアース側接点１３ｂとでノイズ低減素子１１を挟み込み、電線側接点１２ｂの接点部１２ｂ２とノイズ低減素子１１の第１素子接続体１１ａとを軸線方向で接触させ、かつ、アース側接点１３ｂの接点部１３ｂ２とノイズ低減素子１１の第２素子接続体１１ｂとを軸線方向で接触させる。これにより、このフィルタ回路１０は、第１回路接続部材１２を介してノイズ低減素子１１の第１素子接続体１１ａを電線ＷＥの中間接続部ＷＥａ１に電気接続させ、かつ、第２回路接続部材１３を介してノイズ低減素子１１の第２素子接続体１１ｂを接地対象物に電気接続させる。
【００３６】
筐体２０は、合成樹脂等の絶縁性材料で成形する。この筐体２０は、フィルタ回路１０と電線ＷＥの中間接続部ＷＥａ１とを収容する収容室２０ａを内方に有する（図１）。この筐体２０は、第１筐体部材２１と第２筐体部材２２とを互いに嵌め合わせることによって、収容室２０ａを形成する（図１から図４及び図７）。
【００３７】
この筐体２０においては、フィルタ回路１０と電線ＷＥの中間接続部ＷＥａ１とを第１筐体部材２１に設置し、その第１筐体部材２１に対して第２筐体部材２２を嵌合させる。第１筐体部材２１と第２筐体部材２２は、軸線方向と配列方向とに対する直交方向に沿って嵌合させる。以下においては、その直交方向のことを「嵌合方向」と称する。
【００３８】
第１筐体部材２１は、矩形の平板状の主壁体２１ａと、この主壁体２１ａの３つの辺部から各々同じ向きに立設させた矩形の平板状の第１から第３の周壁体２１ｂ−２１ｄと、を有する（図３及び図４）。この第１筐体部材２１においては、主壁体２１ａと第１から第３の周壁体２１ｂ−２１ｄとで囲まれた空間が収容室２０ａとなる。この第１筐体部材２１は、主壁体２１ａと第１周壁体２１ｂと第２周壁体２１ｃにおける連接状態の３つの縁部で矩形に形成され、かつ、第３周壁体２１ｄに間隔を空けて対向配置された第１開口２１ｅと、第１から第３の周壁体２１ｂ−２１ｄにおける連接状態の３つの縁部で矩形に形成された第２開口２１ｆと、を有する（図３及び図４）。第１開口２１ｅは、アース側接点１３ｂが収容された第２回路接続部材１３のアース接続部１３ａを収容室２０ａの外に配置させるための開口である。一方、第２開口２１ｆは、フィルタ回路１０と電線ＷＥの中間接続部ＷＥａ１とを収容室２０ａに収容するための開口である。
【００３９】
この第１筐体部材２１では、第１周壁体２１ｂと第２周壁体２１ｃとが間隔を空けて対向配置され、その対向配置方向を軸線方向にして電線ＷＥの中間接続部ＷＥａ１が収容される（図２及び図７）。また、この第１筐体部材２１では、第１回路接続部材１２の電線側接点１２ｂを収容室２０ａの中で第１周壁体２１ｂに軸線方向で対向配置させ、その電線側接点１２ｂをノイズ低減素子１１の第１素子接続体１１ａと第１周壁体２１ｂとの間に介在させる（図２及び図７）。また、この第１筐体部材２１では、第２回路接続部材１３のアース側接点１３ｂを収容室２０ａの中で第２周壁体２１ｃに軸線方向で対向配置させ、そのアース側接点１３ｂをノイズ低減素子１１の第２素子接続体１１ｂと第２周壁体２１ｃとの間に介在させる（図２及び図７）。
【００４０】
第２筐体部材２２は、その収容室２０ａの第２開口２１ｆを塞ぐべく用意されている。この第２筐体部材２２は、フィルタ回路１０と電線ＷＥの中間接続部ＷＥａ１とが収容されている第１筐体部材２１に対して組み付ける（図８）。この第２筐体部材２２は、第１筐体部材２１との組付けが完了している状態で第２開口２１ｆを塞ぐ矩形の平板状の閉塞壁体２２ａを有する（図３及び図４）。また、この第２筐体部材２２は、その閉塞壁体２２ａの４つの辺部から各々同じ向きに立設させた矩形の平板状の第１から第４の周壁体２２ｂ−２２ｅを有する（図４）。この第２筐体部材２２では、第１周壁体２２ｂと第２周壁体２２ｃとが間隔を空けて対向配置され、第３周壁体２２ｄと第４周壁体２２ｅとが間隔を空けて対向配置されている。
【００４１】
この例示の筐体２０においては、第１筐体部材２１と第２筐体部材２２との組付けが完了しているときに、それぞれの第１周壁体２１ｂ，２２ｂ同士を対向配置させ、かつ、それぞれの第２周壁体２１ｃ，２２ｃ同士を対向配置させ、かつ、それぞれの第３周壁体２１ｄ，２２ｄ同士を対向配置させ、かつ、第１開口２１ｅと第４周壁体２２ｅとを対向配置させる。
【００４２】
この筐体２０においては、対向配置状態の第１周壁体２１ｂ，２２ｂと対向配置状態の第２周壁体２１ｃ，２２ｃから電線ＷＥを外方に引き出させる。そこで、それぞれの第１周壁体２１ｂ，２２ｂには、各々、電線ＷＥの一方の端部側を外方に引き出させる第１引出口２１ｂ１，２２ｂ１が形成されている（図３及び図４）。それぞれの第１周壁体２１ｂ，２２ｂにおいては、第１引出口２１ｂ１，２２ｂ１同士を対向配置させる。また、それぞれの第２周壁体２１ｃ，２２ｃには、各々、電線ＷＥの他方の端部側を外方に引き出させる第２引出口２１ｃ１，２２ｃ１が形成されている（図３及び図４）。それぞれの第２周壁体２１ｃ，２２ｃにおいては、第２引出口２１ｃ１，２２ｃ１同士を対向配置させる。
【００４３】
この筐体２０においては、２つのノイズ低減素子１１と、第１回路接続部材１２が組み付けられた電線ＷＥの中間接続部ＷＥａ１と、第２回路接続部材１３のアース側接点１３ｂと、が第１開口２１ｆから収容室２０ａに収容される。その電線ＷＥの収容に際して、第１筐体部材２１においては、電線ＷＥが第１引出口２１ｂ１と第２引出口２１ｃ１とに挿入される。筐体２０においては、第２開口２１ｆを塞ぎ、かつ、電線ＷＥを第１引出口２２ｂ１と第２引出口２２ｃ１とに挿入させるように、第２筐体部材２２を第１筐体部材２１に組み付ける。例えば、このノイズフィルタ１は、電線ＷＥと共に幹線ＷＴに粘着テープ（図示略）等で固定して、その幹線ＷＴに抱きかかえさせる。これにより、電線ＷＥへのノイズフィルタ１の取り付けが完了する。そして、このノイズフィルタ１は、第２回路接続部材１３のアース接続部１３ａを接地対象物に固定する。
【００４４】
ここで、このノイズフィルタ１には、フィルタ回路１０と電線ＷＥとの間の電気接続状態及びフィルタ回路１０と接地対象物との間の電気接続状態を保持するための保持構造３０を設けている（図１から図４及び図７）。その保持構造３０は、軸線方向に沿う押圧力で第１回路接続部材１２の電線側接点１２ｂと第２回路接続部材１３のアース側接点１３ｂの内の少なくとも一方をノイズ低減素子１１に押し付ける押圧構造である。この保持構造３０は、その押圧力による押し付けに伴い、軸線方向での電線側接点１２ｂとアース側接点１３ｂとによるノイズ低減素子１１の挟持状態を保持し、これにより、電線側接点１２ｂとノイズ低減素子１１の第１素子接続体１１ａとの間及びアース側接点１３ｂとノイズ低減素子１１の第２素子接続体１１ｂとの間のそれぞれの電気接続状態を保持するものとして形成する。
【００４５】
具体的に、本実施形態のノイズフィルタ１においては、保持構造３０を筐体２０に設ける。本実施形態の保持構造３０は、電線側接点１２ｂとアース側接点１３ｂの内の一方に作用させた軸線方向の押圧力で電線側接点１２ｂとアース側接点１３ｂの内の一方をノイズ低減素子１１に押し付ける押圧体３１と、ノイズ低減素子１１を介して押圧体３１の押圧力が作用している電線側接点１２ｂとアース側接点１３ｂの内の他方を軸線方向で係止して押圧力を受ける係止体３２と、を備える（図１、図２、図４及び図７）。本実施形態の保持構造３０においては、押圧体３１と係止体３２の内の一方を第１筐体部材２１に設け、その内の他方を第２筐体部材２２に設ける。
【００４６】
この例示では、押圧体３１を第２筐体部材２２に設け（図１、図２、図４、図７及び図９）、係止体３２を第１筐体部材２１に設けている（図１から図３及び図７）。また、この例示では、電線側接点１２ｂをノイズ低減素子１１に押し付けるものとして押圧体３１が設けられ、押圧体３１からの押圧力が伝えられてきたアース側接点１３ｂを係止するものとして係止体３２が設けられている。
【００４７】
この例示の押圧体３１は、第２筐体部材２２の閉塞壁体２２ａの内壁面から立設させた弾性変形不能な基部３１ａと、この基部３１ａに連接された弾性変形可能な押圧部３１ｂと、を有する（図２、図７及び図９）。
【００４８】
この例示の基部３１ａは、閉塞壁体２２ａの内壁面側を固定端とする片持ち形状の矩形の片部として形成されたものである。この基部３１ａは、第１筐体部材２１と第２筐体部材２２との組付けが完了しているときに、軸線方向で電線側接点１２ｂの基部１２ｂ１における他方の直交平面に間隔を空けて対向配置される。ここでは、それぞれの基部１２ｂ１，３１ａの直交平面同士を対向配置させる。
【００４９】
一方、この例示の押圧部３１ｂは、第１筐体部材２１と第２筐体部材２２との組付けが完了しているときに、軸線方向で電線側接点１２ｂの基部１２ｂ１における他方の直交平面に対向配置させ、その他方の直交平面に弾性変形状態で接触させる。この押圧部３１ｂは、基部３１ａの自由端側を固定端とする片持ち形状の弾性片部として形成されたものであり、軸線方向でそれぞれの基部１２ｂ１，３１ａの間に介在させる。
【００５０】
この例示では、第２回路接続部材１３が収容室２０ａに収容されているときに、第１筐体部材２１の第２周壁体２１ｃが軸線方向でアース側接点１３ｂの基部１３ｂ１に対向配置されている。そこで、この例示では、その第２周壁体２１ｃを係止体３２として利用する。ここでは、第２周壁体２１ｃの内壁面に、アース側接点１３ｂの基部１３ｂ１における他方の直交平面を係止させる。
【００５１】
本実施形態の保持構造３０においては、第１筐体部材２１と第２筐体部材２２の組付けが始まり、その組付け動作が進むと、押圧体３１の押圧部３１ｂが電線側接点１２ｂの基部１２ｂ１における他方の直交平面に接触し、かつ、アース側接点１３ｂの基部１３ｂ１が係止体３２によって係止状態となる。この保持構造３０においては、その組付け動作が更に進むことで、係止体３２からの反力が押圧体３１の押圧部３１ｂに伝わり、その押圧部３１ｂが弾性域内で撓みながら電線側接点１２ｂの基部１２ｂ１に軸線方向の押圧力を作用させる。
【００５２】
この保持構造３０においては、第１筐体部材２１と第２筐体部材２２との組付けが完了しているときに、押圧体３１と係止体３２とが軸線方向で電線側接点１２ｂの基部１２ｂ１とアース側接点１３ｂの基部１３ｂ１とを挟持し、その挟持状態を保ち続けることができる。これにより、フィルタ回路１０においては、電線側接点１２ｂの接点部１２ｂ２とアース側接点１３ｂの接点部１３ｂ２とでのノイズ低減素子１１の挟持状態を保ち続けることができる。よって、このフィルタ回路１０においては、電線側接点１２ｂの接点部１２ｂ２とノイズ低減素子１１の第１素子接続体１１ａとの間及びアース側接点１３ｂの接点部１３ｂ２とノイズ低減素子１１の第２素子接続体１１ｂとの間の電気的な接続状態を保ち続けることができる。そして、これに伴い、このフィルタ回路１０は、ノイズ低減素子１１の第１素子接続体１１ａと電線ＷＥの中間接続部ＷＥａ１との間の電気接続状態を保つことができ、かつ、ノイズ低減素子１１の第２素子接続体１１ｂと接地対象物との間の電気接続状態を保つことができる。従って、本実施形態のノイズフィルタ１は、フィルタ回路１０と電線ＷＥとの間の通電品質及びフィルタ回路１０と接地対象物との間の通電品質を向上させることができる。
【００５３】
以上示した本実施形態のノイズフィルタ１は、中間電線の影響を受けることのないものとなっている。つまり、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、本実施形態のノイズフィルタ１においては、ワイヤハーネスＷＨの幹線ＷＴに束ねられている電線ＷＥの中間接続部ＷＥａ１と接地対象物との間にフィルタ回路１０を電気的に介在させることで、そのフィルタ回路１０を中間接続部ＷＥａ１と接地対象物とに対して電気的に接続している。よって、このノイズフィルタ１は、従来のような幹線からの分岐電線（中間電線）の影響を考慮に入れたフィルタ回路特性の調整が不要になる。即ち、このノイズフィルタ１は、中間電線の影響を受けることのないものとなっている。
【００５４】
更に、本実施形態のノイズフィルタ１においては、軸線方向にてノイズ低減素子１１を第１回路接続部材１２の電線側接点１２ｂと第２回路接続部材１３のアース側接点１３ｂとで挟み込むことによって、その軸線方向で電線側接点１２ｂとノイズ低減素子１１の第１素子接続体１１ａとの間を電気接続させ且つアース側接点１３ｂとノイズ低減素子１１の第２素子接続体１１ｂとの間を電気接続させる。従って、このノイズフィルタ１は、そのノイズ低減素子１１と電線側接点１２ｂとアース側接点１３ｂとを電線ＷＥの中間接続部ＷＥａ１に対して軸線方向に対する直交方向に配列することによって、その配列方向と軸線方向とに対する直交方向の体格の小型化を図ることができる。実際、この例示のノイズフィルタ１においては、フィルタ回路１０と電線ＷＥの中間接続部ＷＥａ１を電線ＷＥの軸線方向に対する直交方向（配列方向に）に並べて配置し、かつ、そのフィルタ回路１０におけるノイズ低減素子１１と第１回路接続部材１２の電線側接点１２ｂと第２回路接続部材１３のアース側接点１３ｂとを軸線方向に並べて配置している。
【００５５】
また更に、このノイズフィルタ１は、ノイズ低減素子１１を軸線方向で第１回路接続部材１２の電線側接点１２ｂと第２回路接続部材１３のアース側接点１３ｂとの間に挟持させることによって、電線側接点１２ｂの接点部１２ｂ２とノイズ低減素子１１の第１素子接続体１１ａとの間及びアース側接点１３ｂの接点部１３ｂ２とノイズ低減素子１１の第２素子接続体１１ｂとの間の電気的な接続を図っている。そして、このノイズフィルタ１は、その電気的な接続状態を保持構造３０で保ち続けることができる。このため、このノイズフィルタ１の電気的な接続構造は、従来のような雌雄の端子部の嵌合構造となっているものと比較して、小型化が可能になる。よって、このノイズフィルタ１は、軸線方向における体格の大型化を抑えることができる。また、そのような従来の接続構造は形状如何で原価の高騰を招く虞があるが、このノイズフィルタ１は、そのような簡便な接続構造であるが故に、原価の高騰を抑えることができる。
【００５６】
また、本実施形態のワイヤハーネスＷＨは、そのようなノイズフィルタ１を具備するものであり、このノイズフィルタ１が得られる効果を奏することができる。
【００５７】
ところで、保持構造３０は、図示しないが、係止体３２を押圧体３１に置き換えて、２つの押圧体３１で電線側接点１２ｂの基部１２ｂ１とアース側接点１３ｂの基部１３ｂ１とを挟持させ、その挟持状態を保持させ続けるものとして構成してもよい。つまり、保持構造３０は、電線側接点１２ｂとアース側接点１３ｂの内の一方に作用させた軸線方向の押圧力で電線側接点１２ｂとアース側接点１３ｂの内の一方をノイズ低減素子１１に押し付ける第１押圧体３１と、電線側接点１２ｂとアース側接点１３ｂの内の他方に作用させた軸線方向の押圧力で電線側接点１２ｂとアース側接点１３ｂの内の他方をノイズ低減素子１１に押し付ける第２押圧体３１と、を備えるものであってもよい。本実施形態のノイズフィルタ１及びワイヤハーネスＷＨは、このような保持構造３０を用いたとしても、先の例示と同様の効果を得ることができる。
【００５８】
［変形例］
図１０から図１４の符号２は、本変形例のノイズフィルタを示す。また、その各図のＷＨは、本変形例のワイヤハーネスを示す。このノイズフィルタ２とワイヤハーネスＷＨは、前述した実施形態のノイズフィルタ１において、フィルタ回路１０を下記のフィルタ回路１１０）に置き換え、かつ、筐体２０を下記の筐体１２０に置き換え、保持構造３０を下記の保持構造１３０に置き換えたものである（図１０から図１４）。
【００５９】
本変形例のノイズフィルタ２においては、実施形態のノイズフィルタ１と同じように、電線ＷＥの中間接続部ＷＥａ１と接地対象物との間にフィルタ回路１１０を介装させる。また、本変形例のノイズフィルタ２においては、実施形態のノイズフィルタ１と同じように、フィルタ回路１１０と電線ＷＥの中間接続部ＷＥａ１とを電線ＷＥの軸線方向に対する直交方向に並べて配置する。
【００６０】
本変形例のフィルタ回路１１０は、実施形態のフィルタ回路１０と同様のノイズ低減素子１１を２つ備える（図１０から図１４）。但し、本変形例の２つのノイズ低減素子１１は、筐体１２０に収容されているときに、第２素子接続体１１ｂ同士を軸線方向で間隔を空けて対向配置させる。この例示の２つのノイズ低減素子１１は、実施形態のフィルタ回路１０と同様に、最も薄くなっている厚さ方向を配列方向に向けて積層させている（図１０から図１３）。
【００６１】
更に、本変形例のフィルタ回路１１０は、第１回路接続部材１１２と第２回路接続部材１１３とを備える（図１０から図１４）。その第１回路接続部材１１２及び第２回路接続部材１１３は、実施形態の第１回路接続部材１２及び第２回路接続部材１３と同じように、ノイズ低減素子１１を介して互いを電気的に接続させる導電部材であり、金属板を母材にしてプレス成形されている。
【００６２】
第１回路接続部材１１２は、第１回路接続部材１２と同じように、電線ＷＥの中間接続部ＷＥａ１に予め組み付けられ、この電線ＷＥと共に筐体１２０の収容室１２０ａ（図１０）に収容される。この第１回路接続部材１１２は、電線ＷＥの中間接続部ＷＥａ１に対して物理的且つ電気的に接続させた電線接続部１１２ａと、一方のノイズ低減素子１１の第１素子接続体１１ａに軸線方向で対向配置させる第１電線側接点１１２ｂと、他方のノイズ低減素子１１の第１素子接続体１１ａに軸線方向で対向配置させる第２電線側接点１１２ｃと、を有する（図１０から図１５）。
【００６３】
この例示の電線接続部１１２ａは、第１回路接続部材１２の電線接続部１２ａと同様の形状のものとして形成されている。よって、この例示の第１回路接続部材１１２は、その電線接続部１１２ａを電線ＷＥの中間接続部ＷＥａ１に加締め圧着させて組み付けることによって、その中間接続部ＷＥａ１に対して直接的に電気接続させる（図１５）。
【００６４】
第１電線側接点１１２ｂは、筐体１２０に収容されているときに、軸線方向で一方のノイズ低減素子１１の第１素子接続体１１ａに対向配置させ、かつ、その第１素子接続体１１ａに軸線方向で接触させることによって、その第１素子接続体１１ａに対して物理的且つ電気的に接続させる（図１４）。一方、第２電線側接点１１２ｃは、筐体１２０に収容されているときに、軸線方向で他方のノイズ低減素子１１の第１素子接続体１１ａに対向配置させ、かつ、その第１素子接続体１１ａに軸線方向で接触させることによって、その第１素子接続体１１ａに対して物理的且つ電気的に接続させる（図１４）。そこで、第１電線側接点１１２ｂと第２電線側接点１１２ｃは、電線ＷＥの中間接続部ＷＥａ１に組み付けた電線接続部１１２ａから軸線方向に対する直交方向に突出させるように形成する（図１５）。ここでは、軸線方向における電線接続部１１２ａの一端から第１電線側接点１１２ｂを突出させ、かつ、軸線方向における電線接続部１１２ａの他端から第２電線側接点１１２ｃを突出させる。更に、第１電線側接点１１２ｂと第２電線側接点１１２ｃは、軸線方向で２つのノイズ低減素子１１を挟持させるものとして形成する。
【００６５】
第１電線側接点１１２ｂは、矩形の平板状の弾性変形不能な基部１１２ｂ１と、軸線方向で対向配置されている一方のノイズ低減素子１１の第１素子接続体１１ａに接触させて電気接続させる接点部１１２ｂ２と、を有する（図１４及び図１５）。
【００６６】
基部１１２ｂ１は、軸線方向に対する直交平面を有するものであり、筐体１２０に収容されているときに、一方の直交平面を軸線方向で一方のノイズ低減素子１１の第１素子接続体１１ａに間隔を空けて対向配置させる。
【００６７】
接点部１１２ｂ２は、軸線方向で対向配置されている一方のノイズ低減素子１１の第１素子接続体１１ａとの間での安定した接触荷重を得るべく、基部１１２ｂ１に対する軸線方向の弾性変形が可能な弾性接点部として形成する。この例示の接点部１１２ｂ２は、筐体１２０に収容されているときに、軸線方向で基部１１２ｂ１と一方のノイズ低減素子１１の第１素子接続体１１ａとの間に配置する。この接点部１１２ｂ２は、軸線方向で対向配置されている一方のノイズ低減素子１１の第１素子接続体１１ａとは逆側（つまり、自らが連なる基部１１２ｂ１側）に弾性変形させ、かつ、その弾性変形に伴う反力を軸線方向の押圧力として対向配置状態の一方のノイズ低減素子１１の第１素子接続体１１ａに作用させるものとして形成及び配置する（図１４）。
【００６８】
第２電線側接点１１２ｃは、矩形の平板状の弾性変形不能な基部１１２ｃ１と、軸線方向で対向配置されている他方のノイズ低減素子１１の第１素子接続体１１ａに接触させて電気接続させる接点部１１２ｃ２と、を有する（図１４及び図１５）。
【００６９】
基部１１２ｃ１は、軸線方向に対する直交平面を有するものであり、筐体１２０に収容されているときに、一方の直交平面を軸線方向で他方のノイズ低減素子１１の第１素子接続体１１ａに間隔を空けて対向配置させる。
【００７０】
接点部１１２ｃ２は、軸線方向で対向配置されている他方のノイズ低減素子１１の第１素子接続体１１ａとの間での安定した接触荷重を得るべく、基部１１２ｃ１に対する軸線方向の弾性変形が可能な弾性接点部として形成する。この例示の接点部１１２ｃ２は、筐体１２０に収容されているときに、軸線方向で基部１１２ｃ１と他方のノイズ低減素子１１の第１素子接続体１１ａとの間に配置する。この接点部１１２ｃ２は、軸線方向で対向配置されている他方のノイズ低減素子１１の第１素子接続体１１ａとは逆側（つまり、自らが連なる基部１１２ｃ１側）に弾性変形させ、かつ、その弾性変形に伴う反力を軸線方向の押圧力として対向配置状態の他方のノイズ低減素子１１の第１素子接続体１１ａに作用させるものとして形成及び配置する（図１４）。
【００７１】
第２回路接続部材１１３は、接地対象物に対して物理的且つ電気的に接続させるアース接続部１１３ａと、２つのノイズ低減素子１１のそれぞれの第２素子接続体１１ｂに対して軸線方向で各々接触させて電気接続させるアース側接点１１３ｂと、を有する（図１０から図１３、図１６及び図１７）。この例示の第２回路接続部材１１３においては、アース接続部１１３ａを筐体１２０の収容室１２０ａの外に突出させ、アース側接点１１３ｂを筐体１２０の収容室１２０ａに収容させる。
【００７２】
この例示のアース接続部１３ａは、実施形態のアース接続部１３ａと同様のものであり、平板状の片部に貫通孔１１３ａ１が設けられている（図１０から図１３、図１６及び図１７）。
【００７３】
アース側接点１１３ｂは、筐体１２０に収容されているときに、２つのノイズ低減素子１１のそれぞれの第２素子接続体１１ｂの間に配置し、それぞれの第２素子接続体１１ｂに対して軸線方向で接触させて電気接続させる。
【００７４】
このアース側接点１１３ｂは、基部１１３ｂ１と、第２素子接続体１１ｂに電気接続させる第２素子接続体１１ｂ毎の接点部１１３ｂ２と、を有する（図１６及び図１７）。この例示の基部１１３ｂ１は、２つの矩形の片部における一方の平面同士が互いに向かい合うようＵ字状に形成されている。この例示の基部１１３ｂ１は、筐体１２０に収容されているときに、一方の片部における他方の平面を一方のノイズ低減素子１１の第２素子接続体１１ｂに対して軸線方向で対向配置させ、かつ、他方の片部における他方の平面を他方のノイズ低減素子１１の第２素子接続体１１ｂに対して軸線方向で対向配置させる。接点部１１３ｂ２は、基部１１３ｂ１の一方の片部における他方の平面と、基部１１３ｂ１の他方の片部における他方の平面と、に１つずつ設けている。この接点部１１３ｂ２は、第２素子接続体１１ｂとの間での安定した接触荷重を得るべく、その他方の平面から膨出させた膨出形状のものとして形成する。
【００７５】
ここで、本変形例の第１回路接続部材１１２においては、軸線方向に並べて配置された２つのノイズ低減素子１１を軸線方向で挟み込むべく、第１電線側接点１１２ｂと第２電線側接点１１２ｃとを軸線方向で互いに間隔を空けて配置し、かつ、第１電線側接点１１２ｂと第２電線側接点１１２ｃとを互いに逆向きの軸線方向に弾性変形し得るものとして各々形成する。そして、その第１電線側接点１１２ｂと第２電線側接点１１２ｃは、弾性変形に伴う軸線方向の挟持力を２つのノイズ低減素子１１のそれぞれの第１素子接続体１１ａに作用させるものとして形成する。アース側接点１１３ｂは、その２つのノイズ低減素子１１のそれぞれの第２素子接続体１１ｂの間に配置されるので、挟持力が作用している２つのノイズ低減素子１１で挟み込まれるように形成する。つまり、第１電線側接点１１２ｂと第２電線側接点１１２ｃとアース側接点１１３ｂは、第１電線側接点１１２ｂと第２電線側接点１１２ｃとが弾性変形に伴う軸線方向の挟持力を２つのノイズ低減素子１１のそれぞれの第１素子接続体１１ａに作用させているときに、一方のノイズ低減素子１１の第２素子接続体１１ｂをアース側接点１１３ｂの一方の接点部１１３ｂ２に押し付けると共に、他方のノイズ低減素子１１の第２素子接続体１１ｂをアース側接点１１３ｂの他方の接点部１１３ｂ２に押し付けるものとして形成する。
【００７６】
このように、本変形例のノイズフィルタ２においては、第１回路接続部材１１２の第１電線側接点１１２ｂと第２電線側接点１１２ｃとで２つのノイズ低減素子１１を挟み込むことによって、その２つのノイズ低減素子１１で第２回路接続部材１１３のアース側接点１１３ｂが挟み込まれる。これに伴い、このノイズフィルタ２では、第１電線側接点１１２ｂと一方のノイズ低減素子１１の第１素子接続体１１ａとの間の電気接続状態が保たれ、かつ、第２電線側接点１１２ｃと他方のノイズ低減素子１１の第１素子接続体１１ａとの間の電気接続状態が保たれ、かつ、アース側接点１１３ｂと２つのノイズ低減素子１１のそれぞれの第２素子接続体１１ｂとの間の電気接続状態が保たれる。従って、本変形例のノイズフィルタ２においては、その第１電線側接点１１２ｂと第２電線側接点１１２ｃとで、フィルタ回路１１０と電線ＷＥとの間の電気接続状態及びフィルタ回路１１０と接地対象物との間の電気接続状態を保持するための保持構造１３０を構成することができる。
【００７７】
筐体１２０は、合成樹脂等の絶縁性材料で成形する。この筐体１２０は、実施形態の筐体２０と同様に、第１筐体部材１２１と第２筐体部材１２２とを互いに嵌め合わせることによって、収容室１２０ａを形成する（図１０）。この筐体１２０においては、フィルタ回路１１０と電線ＷＥの中間接続部ＷＥａ１とを第１筐体部材１２１に設置し、その第１筐体部材１２１に対して第２筐体部材１２２を嵌合させる。
【００７８】
第１筐体部材１２１は、実施形態の第１筐体部材２１と同様に、矩形の平板状の主壁体１２１ａと、この主壁体１２１ａの３つの辺部から各々同じ向きに立設させた矩形の平板状の第１から第３の周壁体１２１ｂ−１２１ｄと、を有する（図１２及び図１３）。この第１筐体部材１２１においては、主壁体１２１ａと第１から第３の周壁体１２１ｂ−１２１ｄとで囲まれた空間が収容室１２０ａとなる。この第１筐体部材１２１は、主壁体１２１ａと第１周壁体１２１ｂと第２周壁体１２１ｃにおける連接状態の３つの縁部で矩形に形成され、かつ、第３周壁体１２１ｄに間隔を空けて対向配置された第１開口１２１ｅと、第１から第３の周壁体１２１ｂ−１２１ｄにおける連接状態の３つの縁部で矩形に形成された第２開口１２１ｆと、を有する（図１２及び図１３）。第１開口１２１ｅは、実施形態の第１開口２１ｅと同様に、アース側接点１１３ｂが収容された第２回路接続部材１１３のアース接続部１１３ａを収容室１２０ａの外に配置させるための開口である。一方、第２開口１２１ｆは、実施形態の第２開口２１ｆと同様に、フィルタ回路１１０と電線ＷＥの中間接続部ＷＥａ１とを収容室１２０ａに収容するための開口である。
【００７９】
この第１筐体部材１２１では、実施形態の第１筐体部材２１と同じように、第１周壁体１２１ｂと第２周壁体１２１ｃとが間隔を空けて対向配置され、その対向配置方向を軸線方向にして電線ＷＥの中間接続部ＷＥａ１が収容される。
【００８０】
また、この第１筐体部材１２１では、第２素子接続体１１ｂ同士を軸線方向で間隔を空けて対向配置させるように２つのノイズ低減素子１１が収容される。その２つのノイズ低減素子１１は、保持構造１３０（第１電線側接点１１２ｂ及び第２電線側接点１１２ｃ）からの挟持力を受けた際に、第１筐体部材２１に対して軸線方向に相対移動させることで、アース側接点１１３ｂに挟持力を作用させることができる。そこで、第１筐体部材１２１には、ノイズ低減素子１１を軸線方向に相対移動させる際のガイド体１２１ｇを主壁体１２１ａの内壁面に設けている（図１２）。そのガイド体１２１ｇは、ノイズ低減素子１１毎に設けられており、ノイズ低減素子１１を挟み込んで軸線方向に案内する２つの壁部で形成されている。このガイド体１２１ｇは、２つのノイズ低減素子１１を収容室１２０ａへと収容した際に、その２つのノイズ低減素子１１の収容室１２０ａ内での位置決めを図るためのものとしても利用できる。
【００８１】
第２筐体部材１２２は、実施形態の第２筐体部材２２と同様のものであり、第１筐体部材１２１との組付けが完了している状態で第２開口１２１ｆを塞ぐ矩形の平板状の閉塞壁体１２２ａと、その閉塞壁体１２２ａの４つの辺部から各々同じ向きに立設させた矩形の平板状の第１から第４の周壁体１２２ｂ−１２２ｅと、有する（図１３）。この第２筐体部材１２２では、第１周壁体１２２ｂと第２周壁体１２２ｃとが間隔を空けて対向配置され、第３周壁体１２２ｄと第４周壁体１２２ｅとが間隔を空けて対向配置されている。
【００８２】
この例示の筐体１２０においては、第１筐体部材１２１と第２筐体部材１２２との組付けが完了しているときに、それぞれの第１周壁体１２１ｂ，１２２ｂ同士を対向配置させ、かつ、それぞれの第２周壁体１２１ｃ，１２２ｃ同士を対向配置させ、かつ、それぞれの第３周壁体１２１ｄ，１２２ｄ同士を対向配置させ、かつ、第１開口１２１ｅと第４周壁体１２２ｅとを対向配置させる。
【００８３】
この筐体１２０においては、対向配置状態の第１周壁体１２１ｂ，１２２ｂと対向配置状態の第２周壁体１２１ｃ，１２２ｃから電線ＷＥを外方に引き出させる。そこで、それぞれの第１周壁体１２１ｂ，１２２ｂには、各々、電線ＷＥの一方の端部側を外方に引き出させる第１引出口１２１ｂ１，１２２ｂ１が形成されている（図１２及び図１３）。それぞれの第１周壁体１２１ｂ，１２２ｂにおいては、第１引出口１２１ｂ１，１２２ｂ１同士を対向配置させる。また、それぞれの第２周壁体１２１ｃ，１２２ｃには、各々、電線ＷＥの他方の端部側を外方に引き出させる第２引出口１２１ｃ１，１２２ｃ１が形成されている（図１２及び図１３）。それぞれの第２周壁体１２１ｃ，１２２ｃにおいては、第２引出口１２１ｃ１，１２２ｃ１同士を対向配置させる。
【００８４】
この筐体１２０においては、２つのノイズ低減素子１１と、第１回路接続部材１１２が組み付けられた電線ＷＥの中間接続部ＷＥａ１と、第２回路接続部材１１３のアース側接点１１３ｂと、が第２開口１２１ｆから収容室１２０ａに収容される。その電線ＷＥの収容に際して、第１筐体部材１２１においては、電線ＷＥが第１引出口１２１ｂ１と第２引出口１２１ｃ１とに挿入される。更に、その際、収容室１２０ａでは、第１回路接続部材１１２の第１電線側接点１１２ｂと第２電線側接点１１２ｃとが２つのノイズ低減素子１１に挟持力を作用させ、その挟持力を受けた２つのノイズ低減素子１１が第２回路接続部材１１３のアース側接点１１３ｂに挟持力を作用させる。この筐体１２０においては、第２開口２１ｆを塞ぎ、かつ、電線ＷＥを第１引出口１２２ｂ１と第２引出口１２２ｃ１とに挿入させるように、第２筐体部材１２２を第１筐体部材１２１に組み付ける。例えば、このノイズフィルタ２は、電線ＷＥと共に幹線ＷＴに粘着テープ（図示略）等で固定して、その幹線ＷＴに抱きかかえさせる。これにより、電線ＷＥへのノイズフィルタ２の取り付けが完了する。そして、このノイズフィルタ２は、第２回路接続部材１１３のアース接続部１１３ａを接地対象物に固定する。
【００８５】
以上示したように、本変形例のノイズフィルタ２は、保持構造１３０を第１回路接続部材１１２に兼務させているが、実施形態のノイズフィルタ１と同様の効果を得ることができる。寧ろ、本変形例のノイズフィルタ２は、保持構造１３０を第１回路接続部材１１２に兼務させることによって、構成部品の簡素化を図ることができる。
【００８６】
更に、本変形例のノイズフィルタ２は、２つのノイズ低減素子１１を軸線方向に並べて配置しているので、実施形態のノイズフィルタ１と比較して、配列方向における体格の小型化を図ることができる。
【００８７】
また、本変形例のワイヤハーネスＷＨは、そのようなノイズフィルタ２を具備するものであり、このノイズフィルタ２が得られる効果を奏することができる。
【００８８】
ところで、このノイズフィルタ２は、図示しないが、第２回路接続部材１１３に保持構造１３０を設けたものとして構成してもよい。例えば、この場合、２つのノイズ低減素子１１は、第１素子接続体１１ａ同士を軸線方向で間隔を空けて対向配置させる。そして、第１回路接続部材１１２においては、その２つのノイズ低減素子１１のそれぞれの第１素子接続体１１ａの間に電線側接点を配置し、それぞれの第１素子接続体１１ａに対して軸線方向で電線側接点を接触させて電気接続させるべく、その電線側接点を先のアース側接点１１３ｂと同等のものとして形成する。一方、第２回路接続部材１１３は、アース側接点として、一方のノイズ低減素子１１の第２素子接続体１１ｂに軸線方向で対向配置させる第１アース側接点と、他方のノイズ低減素子１１の第２素子接続体１１ｂに軸線方向で対向配置させる第２アース側接点と、を有するように形成する。この第２回路接続部材１１３においては、第１アース側接点を先の第１電線側接点１１２ｂと同等のものとして形成し、第２アース側接点を先の第２電線側接点１１２ｃと同等のものとして形成する。その電線側接点と第１アース側接点と第２アース側接点は、第１アース側接点と第２アース側接点とが弾性変形に伴う軸線方向の挟持力を２つのノイズ低減素子１１のそれぞれの第２素子接続体１１ｂに作用させているときに、一方のノイズ低減素子１１の第１素子接続体１１ａを電線側接点に押し付けると共に、他方のノイズ低減素子１１の第１素子接続体１１ａを電線側接点に押し付けるものとして形成する。よって、このノイズフィルタ２では、互いに逆向きの軸線方向に弾性変形し得るものとして各々形成した第１アース側接点と第２アース側接点とで保持構造１３０が構成される。本変形例のノイズフィルタ２及びワイヤハーネスＷＨは、このような保持構造１３０を用いたとしても、先の例示と同様の効果を得ることができる。
【符号の説明】
【００８９】
１，２  ノイズフィルタ
１０，１１０  フィルタ回路
１１  ノイズ低減素子
１１ａ  第１素子接続体
１１ｂ  第２素子接続体
１２  第１回路接続部材
１２ａ  電線接続部
１２ｂ  電線側接点
１３  第２回路接続部材
１３ａ  アース接続部
１３ｂ  アース側接点
２０，１２０  筐体
２０ａ，１２０ａ  収容室
３０  保持構造
３１  押圧体
３２  係止体
１１２  第１回路接続部材
１１２ａ  電線接続部
１１２ｂ  第１電線側接点
１１２ｃ  第２電線側接点
１１３  第２回路接続部材
１１３ａ  アース接続部
１１３ｂ  アース側接点
１３０  保持構造
ＷＥ  電線
ＷＥａ  芯線
ＷＥａ１  中間接続部
ＷＨ  ワイヤハーネス
ＷＴ  幹線
【図１】
2020048077.tif 000003
【図２】
2020048077.tif 000004
【図３】
2020048077.tif 000005
【図４】
2020048077.tif 000006
【図５】
2020048077.tif 000007
【図６】
2020048077.tif 000008
【図７】
2020048077.tif 000009
【図８】
2020048077.tif 000010
【図９】
2020048077.tif 000011
【図１０】
2020048077.tif 000012
【図１１】
2020048077.tif 000013
【図１２】
2020048077.tif 000014
【図１３】
2020048077.tif 000015
【図１４】
2020048077.tif 000016
【図１５】
2020048077.tif 000017
【図１６】
2020048077.tif 000018
【図１７】
2020048077.tif 000019